(57)【特許請求の範囲】
【請求項１】
出し入れ口を通して湯たんぽを収容可能となされた湯たんぽ収容袋であって、先端が開放した布製の外袋内に、先端が開放した内袋を重ね状態で収納し、該外袋と内袋とを一体化することによって前記出し入れ口が形成されており、該一体化は、外袋と内袋の先端側でのみ行われ、その他の部分では外袋と内袋が遊離していて両者が相対的に滑り得るようになされており、又該内袋は、ポリエチレン製発泡シート等としての軟質の発泡樹脂シートの一面にアルミニウム蒸着膜等としてのアルミニウム膜が形成されてなる断熱シートを用い、該アルミニウム膜を袋内面に位置させて形成され、前記外袋は、その先端側を形成する端布部分が袋の内側に折り返され、折り返された該端布部分の縁部と前記内袋の先端側と、前記端布部分の基端側とが一体に縫製されており、又、該端布部分の屈曲縁部が前記内袋の先端よりも外側に離れて位置し、該屈曲縁部と該先端との間に紐通しが形成されており、該紐通しに、前記出し入れ口を絞るための紐が挿通されていることを特徴とする湯たんぽ収容袋。
【請求項２】
出し入れ口を通して湯たんぽを収容可能となされた湯たんぽ収容袋であって、先端が開放した布製の外袋内に、先端が開放した内袋を重ね状態で収納し、該外袋と内袋とを一体化することによって前記出し入れ口が形成されており、該一体化は、外袋と内袋の先端側でのみ行われ、その他の部分では外袋と内袋が遊離していて両者が相対的に滑り得るようになされており、又該内袋は、ポリエチレン製発泡シート等としての軟質の発泡樹脂シートの一面にアルミニウム蒸着膜等としてのアルミニウム膜が形成されてなる断熱シートを用い、該アルミニウム膜を袋内面に位置させて形成され、前記内袋は、前記断熱シートを前記アルミニウム膜を内側にして二つ折りすると共に、折り目の両側をなす側縁を、夫々、表裏の縁部分を一体に縫製することによって袋状に形成され、且つ、前記縁部分の縫代部分が一面側に折り曲げられ、該内袋が、前記のように、前記外袋内に重ね状態で収納され、かかる状態において、前記外袋は、その先端側を形成する端布部分が袋の内側に折り返され、折り返された該端布部分の縁部と前記内袋の先端側と、該端布部分の基端側とが一体に縫製されており、又、該端布部分の屈曲縁部が前記内袋の先端よりも外側に離れて位置し、該屈曲縁部と該先端との間に紐通しが形成されており、該紐通しに、前記出し入れ口を絞るための紐が挿通されていることを特徴とする湯たんぽ収容袋。
【発明の詳細な説明】
【０００１】
【発明の属する技術分野】
本発明は、湯たんぽが収容されることによって、長時間に亘って適当な温度の保温効果をもたらす湯たんぽ収容袋に関するものである。
【０００２】
【従来の技術及び発明が解決しようとする課題】
従来の湯たんぽ収容袋によるときは、袋内に湯たんぽを収容して暖房器具として利用せんとする場合、袋の断熱性が不十分であって袋外面が熱過ぎるために、これにバスタオル等を巻いて放熱量を適切に調節しなければならない煩わしさがあった。又バスタオル等で覆うと、全体が嵩張って使用感が悪くなるという問題もあった。
本発明は、かかる問題点を解決し得る湯たんぽ収容袋の提供を目的とするものである。
【０００３】
【課題を解決するための手段】
前記課題を解決するため、本発明は以下の手段を採用する。
即ち本発明に係る湯たんぽ収容袋は、出し入れ口を通して湯たんぽを収容可能となされた湯たんぽ収容袋であって、先端が開放した布製の外袋内に、先端が開放した内袋を重ね状態で収納し、該外袋と内袋とを一体化することによって前記出し入れ口が形成されており、該一体化は、外袋と内袋の先端側でのみ行われ、その他の部分では外袋と内袋が遊離していて両者が相対的に滑り得るようになされている。そして該内袋は、ポリエチレン製発泡シート等としての軟質の発泡樹脂シートの一面にアルミニウム蒸着膜等としてのアルミニウム膜が形成されてなる断熱シートを用い、該アルミニウム膜を袋内面に位置させて形成され、前記外袋は、その先端側を形成する端布部分が袋の内側に折り返され、折り返された該端布部分の縁部と前記内袋の先端側と、前記端布部分の基端側とが一体に縫製されている。又、該端布部分の屈曲縁部が前記内袋の先端よりも外側に離れて位置し、該屈曲縁部と該先端との間に紐通しが形成されており、該紐通しに、前記出し入れ口を絞るための紐が挿通されていることを特徴とするものである。
【０００４】
本発明に係る湯たんぽ収容袋のより好ましい態様は、出し入れ口を通して湯たんぽを収容可能となされた湯たんぽ収容袋であって、先端が開放した布製の外袋内に、先端が開放した内袋を重ね状態で収納し、該外袋と内袋とを一体化することによって前記出し入れ口が形成されており、該一体化は、外袋と内袋の先端側でのみ行われ、その他の部分では外袋と内袋が遊離していて両者が相対的に滑り得るようになされており、又該内袋は、ポリエチレン製発泡シート等としての軟質の発泡樹脂シートの一面にアルミニウム蒸着膜等としてのアルミニウム膜が形成されてなる断熱シートを用い、該アルミニウム膜を袋内面に位置させて形成されている。そして前記内袋は、前記断熱シートを前記アルミニウム膜を内側にして二つ折りすると共に、折り目の両側をなす側縁を、夫々、表裏の縁部分を一体に縫製することによって袋状に形成され、且つ、前記縁部分の縫代部分が一面側に折り曲げられ、該内袋が、前記のように、前記外袋内に重ね状態で収納され、かかる状態において、前記外袋は、その先端側を形成する端布部分が袋の内側に折り返され、折り返された該端布部分の縁部と前記内袋の先端側と、該端布部分の基端側とが一体に縫製されており、又、該端布部分の屈曲縁部が前記内袋の先端よりも外側に離れて位置し、該屈曲縁部と該先端との間に紐通しが形成されており、該紐通しに、前記出し入れ口を絞るための紐が挿通されていることを特徴とするものである。
【０００５】
【発明の実施の形態】
以下、本発明の実施の形態を図面に基づいて説明する。
図１〜２、図４〜５において本発明に係る湯たんぽ収容袋１は、出し入れ口２を通して湯たんぽ３を収納可能となされており、図２、図６に示すように、先端５が開放され且つ基端側の縁（底部側の縁）６が、収容される湯たんぽ３の円弧状形態に合わせて円弧状縁として形成されてなる例えば布製（織物製や編物製等）の外袋７内に、先端９が開放し且つ基端側の縁１０が、前記と同様に円弧状縁として形成された内袋１１を重ね状態で収納し、該外袋７と内袋１１とを、図２に示すように、両者の先端側でのみ、縫製により一体化して形成されている。
【０００６】
前記内袋１１は、軟質の発泡樹脂シート１２の一面にアルミニウム膜１３が形成されてなる断熱シート１５を用い、該アルミニウム膜１３を袋内面に位置させて形成されている。
【０００７】
該断熱シート１５は、例えば図２（Ｂ）に示すような、薄肉でも良好な断熱性を発揮し且つ柔軟性を有するポリエチレン製発泡シート（０．５〜５ｍｍ程度の肉厚のもの）としての軟質の発泡樹脂シート１２の一面にアルミニウム蒸着膜としてのアルミニウム膜１３が形成されてなるものを用いるのがよい。例えば８０℃〜９０℃の湯を入れた湯たんぽ３を図４に示すように前記湯たんぽ収容袋１に収容したときに、３７℃〜４０℃程度の温度が袋外面１６で得られるものとするのがよい。なお前記発泡シートの肉厚が厚過ぎる場合は、その断熱性が強過ぎて良好な暖房効果が得られないことになる。
【０００８】
そして前記内袋１１は、図７に示すような、形成すべき内袋の形状に略合致する外形Ｕ字状の片１７，１９が基端２０，２１で連なるように裁断されてなる基材シート２２を用い、該基材シート２２を、前記アルミニウム膜１３を内側にして２つ折りし、図８に示すように、折り目２３の両側をなす側縁２５，２６を、夫々、表裏の縁部分２５ａ，２５ｂ、２６ａ，２６ｂを一体に縫製することによって袋状に形成されている。このように形成された内袋１１は、その両側に形成された縫代部分２７，２９が、図６に示すように一面側に折り曲げられて、図９に示すように、前記外袋７内に、略密着した２枚重ね状態で収納される。
【０００９】
そして前記外袋７は、図２〜３に示すように、その先端側を形成する端布部分３０が袋の内側に、例えば３５ｍｍ程度の幅で折り返される。この折り返しは、該端布部分３０の屈曲縁部３１が前記内袋１１の先端３２よりも外側に稍離れて位置するように行われる。そして該折り返された端布部分３０の縁部３３と前記内袋１１の先端側３５とが、前記端布部分３０の基端側３６と共に一体に縫製される。これにより、前記屈曲縁部３１と内袋１１の先端３２との間にトンネル状の紐通し３７が形成され、該紐通し３７に、２本のエンドレスの紐３９，４０を通し、該紐３９，４０を図５に一点鎖線で示すように逆方向に引っ張ることによって、前記出し入れ口２が絞られるように構成されている。
【００１０】
このように外袋７と内袋１１の先端側を縫製することによって、前記出し入れ口２が形成されている。そして、外袋７と内袋１１の一体化は、両者の先端側でのみ行われており、その他の部分では外袋７と内袋１１が遊離して、図４に矢印で示すように両者が相対的に移動可能となされているため、湯たんぽ３が収容された内袋１１に対して、外袋７が動きの融通性を有している。
【００１１】
かかる構成の湯たんぽ収容袋１内に湯たんぽ３を収容して後、前記２本の紐３９，４０を引っ張ることによって、出し入れ口２が締められた図４〜５に示す湯たんぽ型暖房器４１を構成できる。
【００１２】
該湯たんぽ型暖房器４１によるときは、前記軟質の発泡樹脂シート１２によって適度な断熱性を確保でき、従来のように、暖房器が熱過ぎるといった問題を解消し得る。しかも、前記アルミニウム膜１３が良好な熱反射作用と熱伝導作用を発揮するために、該アルミニウム膜１３が湯たんぽの熱を発泡樹脂シート１２に適度に伝える。これらによって、収容された湯たんぽ３の保有熱が外部に少しずつ放出されることになり、該湯たんぽ型暖房器４１を快適に利用できることになる。
【００１３】
又外袋７と内袋１１は、その先端側でのみ一体化されており、その他の部分では外袋７と内袋１１が遊離していて両者が相対的に滑り得るように構成されているため、湯たんぽ収容袋１に足を接触させたときに、外袋７が相対的に滑ることになり、これによってソフトな接触感が得られることになる。もしも外袋７と内袋１１の全体が一体化していると、足を接触させたときにソフト感が得られにくくなる。
【００１４】
又本実施の形態においては図１、図５に示すように、湯たんぽ収容袋１の基端側（底部側）が、湯たんぽの円弧状形態に合わせて円弧状縁として形成されているため、湯たんぽ３を、無理なく安定的に収容させることができる。
【００１５】
又本実施の形態においては、前記アルミニウム膜１３がアルミニウム蒸着膜として形成されているため、湯たんぽ収容袋１への湯たんぽ３の出し入れが繰り返されても、前記アルミニウム蒸着膜１３（図２（Ｂ）、図４（Ｂ））が優れた耐摩耗性を有することから、発泡樹脂シート１２が損傷されるのをより効果的に防止できる。
【００１６】
〔その他の実施の形態〕
(1) 湯たんぽ収容袋の形態は、その出し入れ口を通して湯たんぽを収容でき、収容した状態で暖房器として使用できるものであれば、その形態は前記したものには特定されない。
【００１７】
(2) 前記紐通し３７，４２に挿通される紐は一本であってもよい。
【００１８】
(3) 前記軟質の発泡樹脂シート１２としては、前記ポリエチレン製発泡シートの他、本発明の収容袋に収容された湯たんぽに対して所要の断熱性を発揮できる軟質発泡樹脂シート全般を採用できる。
【００１９】
(4) アルミニウム膜１３が形成されてなる前記断熱シート１５は、前記のようなアルミニウム蒸着膜の形成によって構成されることの他、アルミニウム箔の貼着によっても構成され得る。
【００２０】
【発明の効果】
本発明は、以下の如き優れた効果を奏する。
(1) 本発明に係る湯たんぽ収容袋は、布製等の外袋内に、ポリエチレン製発泡シート等からなる軟質の発泡樹脂シートの一面にアルミニウム蒸着膜等としてのアルミニウム膜を形成してなる断熱シートを用い、該アルミニウム膜を袋内面に位置させて形成された内袋を収納し、該外袋と内袋とを一体化して構成されているため、前記発泡樹脂シートによって適度な断熱性を確保でき、従来のように、湯たんぽ型暖房器が熱過ぎるといった問題を解消し得ることとなる。しかも、前記アルミニウム膜が良好な熱反射作用と熱伝導作用を発揮するために、該アルミニウム膜が湯たんぽの熱を発泡シートに適度に伝える。これらによって、収容された湯たんぽの保有熱を外部に少しずつ放出させることができ、長時間に亘って適当な暖房効果をもたらす湯たんぽ型暖房器を構成できることとなる。
これらによって、従来のように、湯たんぽを収容した袋の外面をバスタオル等で覆わなければならないといった煩わしさを解消でき、該湯たんぽ型暖房器を快適に利用できることになる。特に、前記発泡樹脂シートとしてポリエチレン製発泡シートを用いる場合、その肉厚を０．５〜５ｍｍに設定することにより、前記効果をより良好に発揮させることができる。
【００２１】
(2) 又本発明に係る湯たんぽ収容袋を、外袋と内袋を、その先端側でのみ一体化し、その他の部分では外袋と内袋を遊離させているため、湯たんぽ収容袋に足を接触させたときに外袋が相対的に滑ることになり、これによってソフトな接触感が得られることになる。もしも外袋と内袋とが全体的に一体化していると、足を接触させたときのソフト感が得られにくくなって好ましくない。
【００２２】
(3) 又本発明に係る湯たんぽ収容袋が、内袋の内面にアルミニウム蒸着膜としてのアルミニウム膜が形成された構成を有する場合は、蒸着によって形成されたアルミニウム面の前記発泡シートに対する一体化強度が非常に高く、又アルミニウム蒸着膜が優れた耐摩耗性を有するために、湯たんぽ収容袋への湯たんぽの出し入れが繰り返されても、発泡樹脂シートが損傷されるのをより効果的に防止できる。
【００２３】
(4) 本発明に係る湯たんぽ収容袋を次のように構成したことにより、即ち、前記断熱シートを、前記アルミニウム膜を内側にして二つ折りし、且つ折り目の両側をなす側縁を、夫々、表裏の縁部分を一体に縫製することによって内袋を形成すると共に、該内袋を、前記外袋内に重ね状態で収納することとし、又前記外袋は、その先端側を形成する端布部分を袋の内側に折り返し、該折り返された布部分の縁部と前記内袋の先端側と前記端布部分の基端側とを一体に縫製し、又、該端布部分の屈曲部が前記内袋の先端よりも外側に離れて位置する如くなし、該屈曲縁部と該先端との間に紐通しが形成されたものとし、該紐通しに、前記出し入れ口を絞るための紐を挿通させる構成としたので、内袋を簡易且つ能率的に製造できると共に、外袋と内袋とをその先端側で一体化する工程において、出し入れ口を絞るための紐を通す紐通しも同時に形成できることとなり、湯たんぽ収容袋の製造能率を向上させ得る。
【図面の簡単な説明】
【図１】  本発明に係る湯たんぽ収容袋を示す斜視図である。
【図２】  その部分断面図である。
【図３】  その部分拡大図である。
【図４】  湯たんぽ収容袋内に湯たんぽを収容した状態を示す断面図である。
【図５】  湯たんぽ収容袋内に湯たんぽを収容した状態を示す斜視図である。
【図６】  湯たんぽ収容袋を分解して示す斜視図である。
【図７】  内袋形成用の基材シートを展開して示す斜視図である。
【図８】  基材シートを二つ折りして形成した内袋を示す斜視図である。
【図９】  内袋を外袋内に収納した状態を示す部分断面図である。
【符号の説明】
１  湯たんぽ収容袋
２  出し入れ口
３  湯たんぽ
７  外袋
１１  内袋
１２  軟質の発泡樹脂シート
１３  アルミニウム膜
１５  断熱シート
３７  紐通し
３９  紐
４０  紐
４２  紐通し
４３  紐
４５  紐
【図１】
0003717155.tif 000002
【図２】
0003717155.tif 000003
【図３】
0003717155.tif 000004
【図４】
0003717155.tif 000005
【図５】
0003717155.tif 000006
【図６】
0003717155.tif 000007
【図７】
0003717155.tif 000008
【図８】
0003717155.tif 000009
【図９】
0003717155.tif 000010